(57)【要約】【課題】原稿読取部を台部材に対して螺子を用いて位置決めする技術と比較して、削り屑を生じにくくすることができる原稿読取装置及び画像形成装置を提供する。【解決手段】画像形成装置１０は、台部材１２０と、台部材１２０に置かれた原稿を読み取る読取部１４０と、台部材１２０に対して読取部１４０を位置決めする位置決機構３００とを有し、位置決機構３００は、読取部１４０の後端部側に配置されていて、読取部１４０の前端部側に設けられた側面側凸部３１２を、ハウジング２００の面２１２に対して押し付ける方向に読取部１４０を付勢する付勢手段３５０を有する。【選択図】図２
2018198390.tif 000002
【特許請求の範囲】
【請求項１】
台部材と、
前記台部材に置かれた原稿を読み取る読取部と、
前記台部材に対して前記読取部を位置決めする位置決機構と、
を有し、
前記位置決機構は、前記読取部の長手方向における一端部側に配置されていて、前記読取部の長手方向における他端部側に設けられた接触部を被接触部に対して押し付ける方向に前記読取部を付勢する付勢手段を有する
原稿読取装置。
【請求項２】
前記読取部が収納されていて、前記読取部と一体として前記台部材に対して移動する収納部をさらに有し、
前記被接触部として、前記収納部の前記読取部に対向する面が用いられている請求項１記載の原稿読取装置。
【請求項３】
前記収納部は、前記読取部の長手方向における前記他端部側に対向する位置に、前記読取部側に対向するように段差部が形成されていて、前記被接触部として、前記段差部の前記読取部に対向する面が用いられている請求項２記載の原稿読取装置。
【請求項４】
前記接触部及び前記被接触部は、樹脂からなる請求項１乃至３いずれか記載の原稿読取装置。
【請求項５】
台部材と、
前記台部材に置かれた原稿を読み取る読取部と、
前記台部材に対して前記読取部を位置決めする位置決機構と、
を有し、
前記位置決機構は、
前記読取部の長手方向における一端部側に配置されていて、前記読取部の長手方向における他端部側に設けられた第１の接触部を被接触部に対して押し付ける方向に前記読取部を付勢する第１の付勢手段と、
前記読取部の前記台部材に対向する位置に配置された第２の接触部を、前記台部材に対して押し付ける方向に前記読取部を付勢する第２の付勢手段と、
を有する原稿読取装置。
【請求項６】
前記第１の接触部は、前記被接触部側に突出する凸部からなり、
前記凸部は、前記読取部が前記台部材に対して接近し、前記台部材から離間する方向である第１の方向の長さよりも、前記第１の方向と直行する第２の方向の長さが短い請求項５記載の原稿読取装置。
【請求項７】
前記第１の接触部は、前記被接触部側に突出する凸部からなり、
前記凸部は、前記被接触部に接触する位置が曲面からなる請求項５記載の原稿読取装置。
【請求項８】
台部材と、
前記台部材に置かれた原稿を読み取る読取部と、
前記台部材に対して前記読取部を位置決めする位置決機構と、
前記読取部が読み取った原稿の画像信号に基づいて画像を形成する画像形成部と、
を有し、
前記位置決機構は、前記読取部の長手方向における一端部側に配置されていて、前記読取部の長手方向における他端部側に設けられた接触部を被接触部に対して押し付ける方向に前記読取部を付勢する付勢手段を有する
画像形成装置。
【請求項９】
台部材と、
前記台部材に置かれた原稿を読み取る読取部と、
前記台部材に対して前記読取部を位置決めする位置決機構と、
前記読取部が読み取った原稿の画像信号に基づいて画像を形成する画像形成部と、
を有し、
前記位置決機構は、
前記読取部の長手方向における一端部側に配置されていて、前記読取部の長手方向における他端部側に設けられた第１の接触部を被接触部に対して押し付ける方向に前記読取部を付勢する第１の付勢手段と、
前記読取部の前記台部材に対向する位置に配置された第２の接触部を、前記台部材に対して押し付ける方向に前記読取部を付勢する第２の付勢手段と、
を有する画像形成装置。
【発明の詳細な説明】
【技術分野】
【０００１】
本発明は、原稿読取装置及び画像処理装置に関する。
【背景技術】
【０００２】
特許文献１には、原稿を載置する載置台を含む筐体と、該筐体内部に設けられ、光電変換素子と照明手段を有して前記載置台上に載置された原稿の画像を走査して読み取る読取手段と、該読取手段を移動走査させるための駆動手段と、を備えた画像読取装置において、前記画像読取手段の副走査方向に平行な案内手段を該筐体に設け、該画像読取手段の主走査方向基準に摺動部材若しくは回転部材を設け、平行案内手段に付勢接触させる付勢手段と、原稿載置台の副走査方向に平行な一辺を前記平行案内手段に突き当て接触させる手段を有することを特徴とする画像読取装置が記載されている。
【先行技術文献】
【特許文献】
【０００３】
【特許文献１】特開２００５−１５９６３１号公報
【発明の概要】
【発明が解決しようとする課題】
【０００４】
原稿を読み取る原稿読取部を、台部材に対して、例えば金属製の螺子等を用いて位置決めすると、金属製の螺子等と他の部品とが擦れた際に削り屑が生じる虞があり、削り屑が生じることで原稿の読み取り不良が生じる虞がある。
【０００５】
本発明は、原稿読取部を台部材に対して螺子を用いて位置決めする技術と比較して、削り屑を生じにくくすることができる原稿読取装置及び画像形成装置を提供することを目的とする。
【課題を解決するための手段】
【０００６】
請求項１に係る本発明は、
台部材と、
前記台部材に置かれた原稿を読み取る読取部と、
前記台部材に対して前記読取部を位置決めする位置決機構と、
を有し、
前記位置決機構は、前記読取部の長手方向における一端部側に配置されていて、前記読取部の長手方向における他端部側に設けられた接触部を被接触部に対して押し付ける方向に前記読取部を付勢する付勢手段を有する
原稿読取装置である。
【０００７】
請求項２に係る本発明は、
前記読取部が収納されていて、前記読取部と一体として前記台部材に対して移動する収納部をさらに有し、
前記被接触部として、前記収納部の前記読取部に対向する面が用いられている請求項１記載の原稿読取装置である。
【０００８】
請求項３に係る本発明は、前記収納部は、前記読取部の長手方向における前記他端部側に対向する位置に、前記読取部側に対向するように段差部が形成されていて、前記被接触部として、前記段差部の前記読取部に対向する面が用いられている請求項２記載の原稿読取装置である。
【０００９】
請求項４に係る本発明は、前記接触部及び前記被接触部は、樹脂からなる請求項１乃至３いずれか記載の原稿読取装置である。
【００１０】
請求項５に係る本発明は、
台部材と、
前記台部材に置かれた原稿を読み取る読取部と、
前記台部材に対して前記読取部を位置決めする位置決機構と、
を有し、
前記位置決機構は、
前記読取部の長手方向における一端部側に配置されていて、前記読取部の長手方向における他端部側に設けられた第１の接触部を被接触部に対して押し付ける方向に前記読取部を付勢する第１の付勢手段と、
前記読取部の前記台部材に対向する位置に配置された第２の接触部を、前記台部材に対して押し付ける方向に前記読取部を付勢する第２の付勢手段と、
を有する原稿読取装置である。
【００１１】
請求項６に係る本発明は、前記第１の接触部は、前記被接触部側に突出する凸部からなり、前記凸部は、前記読取部が前記台部材に対して接近し、前記台部材から離間する方向である第１の方向の長さよりも、前記第１の方向と直行する第２の方向の長さが短い請求項５記載の原稿読取装置である。
【００１２】
請求項７に係る本発明は、
前記第１の接触部は、前記被接触部側に突出する凸部からなり、
前記凸部は、前記被接触部に接触する位置が曲面からなる請求項５記載の原稿読取装置である。
【００１３】
請求項８係る本発明は、
台部材と、
前記台部材に置かれた原稿を読み取る読取部と、
前記台部材に対して前記読取部を位置決めする位置決機構と、
前記読取部が読み取った原稿の画像信号に基づいて画像を形成する画像形成部と、
を有し、
前記位置決機構は、前記読取部の長手方向における一端部側に配置されていて、前記読取部の長手方向における他端部側に設けられた接触部を被接触部に対して押し付ける方向に前記読取部を付勢する付勢手段を有する
画像形成装置である。
【００１４】
請求項９に係る本発明は、
台部材と、
前記台部材に置かれた原稿を読み取る読取部と、
前記台部材に対して前記読取部を位置決めする位置決機構と、
前記読取部が読み取った原稿の画像信号に基づいて画像を形成する画像形成部と、
を有し、
前記位置決機構は、
前記読取部の長手方向における一端部側に配置されていて、前記読取部の長手方向における他端部側に設けられた第１の接触部を被接触部に対して押し付ける方向に前記読取部を付勢する第１の付勢手段と、
前記読取部の前記台部材に対向する位置に配置された第２の接触部を、前記台部材に対して押し付ける方向に前記読取部を付勢する第２の付勢手段と、
を有する画像形成装置である。
【発明の効果】
【００１５】
請求項１に係る本発明によれば、原稿読取部を台部材に対して螺子を用いて位置決めする技術と比較して、削り屑を生じにくくすることができる原稿読取装置を提供することができる。
【００１６】
請求項２に係る本発明によれば、収納部の読取部に対向する面とは別に被接触部として用いる部材を設ける装置と比較して、装置の部品点数を減少させることができる。
【００１７】
請求項３に係る本発明によれば、段差部が形成されていない装置と比較して収納部の強度を増すことができ、付勢する力が強い付勢手段を用いることができる。
【００１８】
請求項４に係る本発明によれば、接触部及び被接触部の少なくともいずれか一方が、例えば金属等の樹脂以外からなる装置と比較して、接触部と被接触部とが擦れ合うことにより生じる虞がある削り屑の量を減らすことができる。
【００１９】
請求項５に係る本発明によれば、原稿読取部を台部材に対して螺子を用いて位置決めする技術と比較して、削り屑を生じにくくすることができる原稿読取装置を提供することができる。
【００２０】
請求項６に係る本発明によれば、凸の第２の方向の長さが凸部の第１の方向の長さよりも短い装置や、凸の第２の方向の長さと凸部の第１の方向の長さとが同じ装置と比較して、凸部が削れることにより生じる虞がある削り屑の量を低減することができる。
【００２１】
請求項７に係る本発明によれば、凸部の被接触部に接触する位置が、例えば平面等の曲面以外からなる装置と比較して、凸部が削れることにより生じる虞がある削り屑の量を低減することができる。
【００２２】
請求項８に係る本発明によれば、原稿読取部を台部材に対して螺子を用いて位置決めする技術と比較して、削り屑を生じにくくすることができる画像形成装置を提供することができる。
【００２３】
請求項９に係る本発明によれば、原稿読取部を台部材に対して螺子を用いて位置決めする技術と比較して、削り屑を生じにくくすることができる画像形成装置を提供することができる。
【図面の簡単な説明】
【００２４】
【図１】本発明の実施形態で用いられる画像形成装置の概略構成を示す図である。
【図２】図１に示す画像形成装置が有する読取部を示す図である。
【図３】図１に示す画像形成装置が有する原稿読取装置を示す図であって、図１に示すＡ−Ａ線断面を示す図である。
【図４】図３におけるＢ−Ｂ線断面を示す図である。
【図５】図３におけるＣ−Ｃ線断面を示す図である。
【図６】図３におけるＤ−Ｄ線断面を示す図である。
【図７】図３の一部を拡大して示す図であって、ハウジングに形成された段差部を示す図である。
【発明を実施するための形態】
【００２５】
以下、本発明の実施形態について図面を参照して詳細に説明する。図１は、本発明の実施形態で用いられる画像形成装置１０の一例を示す図である。図１に示すように、画像形成装置１０は、原稿読取装置１００と出力装置８００とを有する。
【００２６】
出力装置８００は、例えば用紙等の記録媒体に画像を出力する装置であって、出力装置本体８１２を有し、出力装置本体８１２の上側の面が、画像の形成された記録媒体が排出される排出部８１４として用いられている。また、出力装置本体８１２内には、記録媒体に画像を形成する画像形成部８３０が配置されている。
【００２７】
画像形成部８３０は、後述する読取部１４０が読み取った原稿の画像信号に基づいて画像形成するものであり、例えば電子写真方式を用いて、例えば単色の画像を形成する。画像形成部８３０は、像保持体として用いられている感光体ドラム８３２と、感光体ドラム８３２を帯電する帯電装置８３４と、感光体ドラム８３２の表面に静電潜像を形成する潜像形成部８３６と、潜像を現像してトナー像とする現像装置８３８と、トナー像を記録媒体に転写する転写装置８４０と、感光体ドラム８３２の表面を清掃する清掃装置８４２と、記録媒体にトナー像を定着させる定着装置８４４とを有する。
【００２８】
以上の説明においては、電子写真方式を採用した構成を例として示して画像形成部８３０を説明したものの、画像形成部８３０は、例えばインクジェット方式等、電子写真以外の方式を採用したものであってもよい。また、以上の説明においては、単色の画像を形成する構成を例として画像形成部８３０を説明したものの、画像形成部８３０は、多色の画像を形成する構成としてもよい。
【００２９】
出力装置本体８１２内には、供給装置９００がさらに配置されている。供給装置９００は、積層された状態の記録媒体を収納する収納部９０２と、収納部９０２に収納された記録媒体を画像形成部８３０へと向けて供給する供給ロール９０４とを有する。
【００３０】
また、出力装置本体８１２内には搬送路９５０が形成されている。搬送路９５０は、供給装置９００から転写装置８４０へと記録媒体を送信し、さらには定着装置８４４へと記録媒体を搬送し、さらには排出部８１４へと記録媒体を排出するように記録媒体を搬送する。
【００３１】
出力装置本体８１２内には、搬送路９５０に沿って、記録媒体搬送方向における上流側から順に、先述の供給ロール９０４と、レジストロール９５２と、先述の転写装置８４０と、先述の定着装置８４４と、排出ロール９５４とが配置されている。
【００３２】
レジストロール９５２は、記録媒体の先端の移動を一時的に停止させ、画像形成部８３０が画像を形成するタイミングに一致させるように、記録媒体の先端の移動を再開させる。
【００３３】
排出ロール９５４は、定着装置８４４によってトナー像が定着された記録媒体を排出部８１４へと排出する。
【００３４】
原稿読取装置１００は、原稿読取装置本体１１２を有し、原稿読取装置本体１１２の上側の面に台部材１２０が装着されている。台部材１２０は、例えばガラス等の光を透過する材料から形成されていて、台部材１２０の上向の面に原稿が置かれる。
【００３５】
原稿読取装置１００は、開閉部１２２をさらに有する。開閉部１２２は、ヒンジ１２４を用いて原稿読取装置本体１１２に装着されていて、台部材１２０に原稿を置く場合や、台部材１２０に置かれた原稿を取り除く場合に開かれ、原稿を読み取る場合に閉じられる。
【００３６】
原稿読取装置１００は、読取部１４０をさらに有する。読取部１４０は、台部材１２０に置かれた原稿を光学的に読み取る。尚、読取部１４０の詳細は後述する。
【００３７】
原稿読取装置１００は、ハウジング２００をさらに有する。ハウジング２００は、読取部１４０が収納される収納部の一例であって、読取部１４０と一体として台部材１２０に対して移動する。矢印ａは、読取部１４０及びハウジング２００の移動する方向を示している。尚、ハウジング２００の詳細は後述する。
【００３８】
原稿読取装置１００は、駆動源１２６と、駆動伝達機構１２８とをさらに有する。駆動源１２６としては、例えばモータ等を用いることができる。駆動伝達機構１２８は、駆動源１２６の駆動を読取部１４０及びハウジング２００に伝達し、読取部１４０及びハウジング２００を矢印ａ方向に移動させる。駆動伝達機構１２８としては、例えば複数のギアから構成されるギア列や、複数のプーリと複数のプーリ間で駆動を伝達するベルトとを備えた機構等を用いることができる。
【００３９】
図２には、読取部１４０の一例が示されている。図２に示されるように、読取部１４０は、読取部本体１４２を有し、読取部本体１４２の上向きの面には、例えばガラス等の光を透過する材料から形成される光透過性部材１４４が装着されている。また、読取部本体１４２内には、原稿に向けて光を照射する照射部として用いられるＬＤＥ（Ｌｉｇｈｔ  Ｅｍｉｔｔｉｎｇ  Ｄｉｏｄｅ）照射ヘッド１４６、１４６と、ＬＤＥ照射ヘッド１４６、２５０とからの光を結像させる結像部として用いられるレンズアレイ１４８と、レンズアレイ１４８で結像された光が入射する光電変換部材１５０とが装着されている。
【００４０】
光電変換部材１５０は、ＬＥＤ照射ヘッド１４６、１４６から照射され、台部材１２０に置かれた原稿Ｄで反射された光を読み取って画像データを生成する画像データ生成手段として用いられていて、ＣＣＤアレイが用いられ、配電等に用いられる基板１５２を有し、基板１５２のレンズアレイ１４８側の面には、原稿Ｄの幅方向（図２における紙面と直行する方向）に複数の受光センサ１５４が直線状に装着されている。
【００４１】
図３は、原稿読取装置１００を示す図であって、図１に示すＡ−Ａ線断面を示す図である。図３に示すように、原稿読取装置１００は、案内部１３０をさらに有する。案内部１３０は、例えばレール形状の部材からなり、ハウジング２００が移動可能に装着されていて、ハウジング２００及び読取部１４０の矢印ａ方向の移動を案内する。
【００４２】
原稿読取装置１００は、位置決機構３００をさらに有する。位置決機構３００は、台部材１２０に対して読取部１４０を位置決めする機構であり、画像形成装置１０の前側（図３における下側、図１における紙面の手前側）に位置する前側位置決部材３１０Ｆと、画像形成装置１０の後側（図３における上側、図１における紙面の奥側）に位置する後側位置決部材３１０Ｒとを有する。
【００４３】
前側位置決部材３１０Ｆは、読取部１４０の前側端部に固定されていて、後側位置決部材３１０Ｒは、読取部１４０の後端部に固定されている。前側位置決部材３１０Ｆと後側位置決部材３１０Ｒとの詳細は後述する。
【００４４】
位置決機構３００は、付勢手段３７０Ｆと付勢手段３７０Ｒとをさらに有する。付勢手段３７０Ｆ及び付勢手段３７０Ｒとしては、例えばコイルスプリング等を用いることができる。また、付勢手段３７０Ｆ及び付勢手段３７０Ｒの上端部は、読取部１４０の下側の面に装着されていて（図４を参照）、付勢手段３７０Ｆ及び付勢手段３７０Ｒの下端部は、ハウジング２００の上向きの面に装着されている（図４を参照）。
【００４５】
以上のように構成された付勢手段３７０Ｆ及び付勢手段３７０Ｒは、上側へと、即ち台部材１２０の方向へと読取部１４０を付勢する。
【００４６】
位置決機構３００は、付勢手段３５０をさらに有する。付勢手段３５０は、読取部１４０の長手方向における一端部側（後端部側、図３において上側）に配置されていて、後述する側面側凸部３１２（図４、５を参照）を被接触部（例えば、後述する面２１２、図５を参照）に対して押し付ける方向である矢印ｂの方向に読取部１４０を付勢する付勢手段の一例である。
【００４７】
図４は、図３に示すＢ−Ｂ線断面を示す図であり、図５は、図３に示すＣ−Ｃ線断面を示す図である。図４及び図５に示すように、前側位置決部材３１０Ｆは、側面側凸部３１２を有する。側面側凸部３１２は、接触部の一例であるとともに、第１の接触部の一例であって、読取部１４０の長手方向における前端部側に設けられていて、付勢手段３５０が読取部１４０を前側に向けて付勢することにより、ハウジング２００の側面側凸部３１２に対向する面である面２１２に対して押し付けられる。
【００４８】
以上説明から分かるように、ハウジング２００の側面側凸部３１２に対向する面である面２１２は、側面側凸部３１２が押し付けられる被接触部の一例である。
【００４９】
以上のように構成された画像形成装置１０においては、付勢手段３５０によって読取部１４０が前側に向けて付勢され、側面側凸部３１２が面２１２に対して押し付けられることによって、長手方向において、読取部１４０が台部材１２０に対して位置決めされている。このため、例えば金属製の螺子等を用いて読取部１４０を台部材１２０に対して位置決めする技術と比較して、例えば金属製の螺子等が他の部材と接触することにより生じる虞がある削り屑の量を減らすことができる。
【００５０】
側面側凸部３１２は、読取部１４０が台部材１２０に対して接近し、台部材１２０から離間する第１の方向である上下方向の長さである長さＬ１よりも、第１の方向と直行する第２の方向である左右方向の長さである長さＬ２が短くなっている。このため、長さＬ１よりも長さＬ２が長い装置や、長さＬ１と長さＬ２との長さが同じである装置と比較して、読取部１４０が上下動する際に側面側凸部３１２が摩耗して生じる虞がある削り屑の量を低減させることができる。
【００５１】
また、側面側凸部３１２は、面２１２に接触する位置が曲面３１４からなる。このため、側面側凸部３１２の面２１２に接触する位置が、例えば平面等の曲面以外からなる装置と比較して、読取部１４０が上下動する際に側面側凸部３１２が摩耗して生じる虞がある削り屑の量を低減させることができる。
【００５２】
前側位置決部材３１０Ｆは、例えば２つの上側凸部３１８をさらに有する。上側凸部３１８は、台部材１２０に対向する位置に配置された第２の接触部の一例であって、台部材１２０に接触し、付勢手段３７０Ｆ及び付勢手段３７０Ｒによって読取部１４０が上側に向けて付勢されると、台部材１２０に対して押し付けられる。
【００５３】
尚、後側位置決部材３１０Ｒも、前側位置決部材３１０Ｆと同様に、例えば２個の上側凸部３１８を有している（図１、図６を参照）。
【００５４】
以上のように構成された画像形成装置１０においては、付勢手段３７０Ｆと付勢手段３７０Ｒとによって読取部１４０が上側へと付勢されると、前側位置決部材３１０Ｆの上側凸部３１８と、後側位置決部材３１０Ｒの上側凸部３１８とが台部材１２０に下向きの面に対して押し付けられて、上下方向において、読取部１４０が台部材１２０に対して位置決めされる。
【００５５】
図６は、図３に示すＤ−Ｄ線断面を示す図である。先述のように、後側位置決部材３１０Ｒは上側凸部３１８を有する。また、先述の付勢手段３５０は、一端部がハウジング２００の内側面に装着されていて、他端部が読取部１４０の後端部に装着されている。
【００５６】
図７は、図３の一部を拡大して示す図であって、ハウジング２００の前側の形状を説明する図である。図７に示すように、ハウジング２００は、読取部１４０の長手方向における前端部側に対向する位置に、読取部１４０側に対向するように段差部２１４が形成されていて、側面側凸部３１２が接触する接触部として、面２１２の段差部２１４の形成された部分が用いられている。
【００５７】
段差部２１４を形成することで、段差部２１４が形成されていない装置と比較してハウジング２００の強度を増すことができ、段差部２１４が形成されていない装置と比較して、付勢する力が強い付勢手段３５０を用いることができるようになる。
【符号の説明】
【００５８】
１０：画像形成装置
１００：原稿読取装置
１２０：台部材
１４０：読取部
２００：ハウジング
２１２：面
２１４：段差部
３００：位置決機構
３１０Ｆ：前側位置決部材
３１０Ｒ：後側位置決部材
３１２：側面側凸部
３１４：曲面
３１８：上側凸部
３５０：付勢手段
３７０Ｆ：付勢手段
３７０Ｒ：付勢手段
８３０：画像形成部
【図１】
2018198390.tif 000003
【図２】
2018198390.tif 000004
【図３】
2018198390.tif 000005
【図４】
2018198390.tif 000006
【図５】
2018198390.tif 000007
【図６】
2018198390.tif 000008
【図７】
2018198390.tif 000009